(57)【特許請求の範囲】
【請求項１】
ディスク状記録媒体に対してレーザ光を照射する対物レンズが、該対物レンズを駆動可能に支持している駆動機構によってトラッキング方向に沿った駆動制御が行われていない状態で、前記ディスク状記録媒体から読み出される再生信号に含まれている所要の同期信号の検出頻度に基づいて、該検出頻度が所要のレベルより低い場合は、フォーカスバイアス量が適切ではないと判断して、フォーカスバイアス値を変位させる制御を行うことで該検出頻度が所要のレベルに達するまでフォーカスバイアス値の調整を行う第一のフォーカスバイアス調整手段と、
前記同期信号の検出頻度が所要のレベルに達した時点で前記対物レンズを前記トラッキング方向に駆動する状態に移行するトラッキングサーボ制御手段と、
前記トラッキングサーボ制御手段によって、前記対物レンズを前記トラッキング方向に駆動した状態で、前記再生信号の位相誤差に基づいてフォーカスバイアス値の調整を行う第二のフォーカスバイアス調整手段と、
を備え、
前記第二のフォーカスバイアス調整手段は、
所要の基準クロックとの位相誤差情報を検出する位相誤差情報検出手段と、
前記フォーカスバイアス値を調整しながら位相誤差情報の値を検出していき、該位相誤差信号として適切な値となった時点でのフォーカスバイアス値を調整値として設定するフォーカスバイアス値設定手段とからなること
を特徴とするディスクドライブ装置。
【発明の詳細な説明】
【０００１】
【発明の属する技術分野】
本発明は、ディスクドライブ装置に関するものである。
【０００２】
【従来の技術】
ＣＤ（Compact Disc）やＣＤ−ＲＯＭ（Compact Disc-Read Only Memory）、またはＤＶＤ−ＲＯＭ（Digital Versatile Disc-Read Only Memory）などのディスク状光学記録媒体が広く普及している。このようなディスクは、その製造時においてプラスチック基板表面（記録面）上に微少な凹部（物理ピット）を形成し、このピット列によって情報が記録されている。また、このピット列自体がトラックとされており、信号再生のための光ビームスポットは、このピット列によるトラックに集光されてトレースするようにされている。
【０００３】
【発明が解決しようとする課題】
ところで、光ビームスポットを出力する光学ピックアップが光学系として例えばレーザカップラなどを用いる場合、非点収差がない構成となる。したがって、例えば片面２層ディスクのＤＶＤ−ＲＯＭにおいて、一方の記録面から他方の記録面にフォーカスサーチを行う場合、他の面の干渉を受けてフォーカスエラー信号のＳ字波形が歪む状態が生じてくる。そして、このフォーカスエラー信号の歪によりビームスポットの合焦点がずれてしまい、所要の信号検出を行うことが困難になる。
したがって、ディスクからの読み出しデータとされる再生ＲＦ信号を最適なものとして検出することができない状態になる。つまり、最適な再生ＲＦ信号が得られない状態では、前記光ビームスポットとトラックのずれ量に相当するトラッキングエラー信号も安定したものではなくなる。
例えばＤＰＤ（Differential Phase Detection）方式等によってトラッキングエラー信号を検出する場合、ビームスポットの合焦点がずれて、良好な再生ＲＦ信号の検出状態が得られない場合、安定したトラッキングエラー信号を得ることが困難になる。つまり、このような状態でトラッキングサーボループを閉じても、トラッキングエラー信号の品位が低いので、良好なトラッキングサーボ制御を行うことができず、データの読み出しなどに支障をきたすことになる。
また、このように安定したトラッキングエラー信号が得られない状態では、良好なトラッキングサーボ制御を行うことができないので、検出される再生ＲＦ信号も良好なものではなくなってしまう。
【０００４】
【課題を解決するための手段】
本発明はこのような問題点を解決するために、ディスク状記録媒体に対してレーザ光を照射する対物レンズが、該対物レンズを駆動可能に支持している駆動機構によってトラッキング方向に沿った駆動制御が行われていない状態で、前記ディスク状記録媒体から読み出される再生信号に含まれている所要の同期信号の検出頻度に基づいて、該検出頻度が所要のレベルより低い場合は、フォーカスバイアス量が適切ではないと判断して、フォーカスバイアス値を変位させる制御を行うことで該検出頻度が所要のレベルに達するまでフォーカスバイアス値の調整を行う第一のフォーカスバイアス調整手段と、前記同期信号の検出頻度が所要のレベルに達した時点で前記対物レンズを前記トラッキング方向に駆動する状態に移行するトラッキングサーボ制御手段と、前記トラッキングサーボ制御手段によって、前記対物レンズを前記トラッキング方向に駆動した状態で、前記再生信号の位相誤差に基づいてフォーカスバイアス値の調整を行う第二のフォーカスバイアス調整手段と、を備え、前記第二のフォーカスバイアス調整手段は、所要の基準クロックとの位相誤差情報を検出する位相誤差情報検出手段と、前記フォーカスバイアス値を調整しながら位相誤差情報の値を検出していき、該位相誤差信号として適切な値となった時点でのフォーカスバイアス値を調整値として設定するフォーカスバイアス値設定手段とを備えてディスクドライブ装置を構成する。
【０００５】
本発明によれば、トラッキングサーボループを閉じない状態で第一のフォーカスバイアス調整を行うようにしている。したがって、この第一のフォーカスバイアス調整により所要のフォーカスバイアスを得ることができ、この良好なトラッキングエラー信号により安定したトラッキングサーボ制御を実現することができるようになる。
さらに、安定したトラッキングサーボ制御が実行されている状態で、第二のフォーカスバイアスとして、さらに精度の高いフォーカスバイアス調整を行うことができる。
【０００６】
【発明の実施の形態】
以下、本発明の実施の形態について説明する。
図１は本実施の形態のディスクドライブ装置の構成を説明するブロック図である。
この図に示すディスクＤは、ターンテーブル７に載せられて再生動作時においてスピンドルモータ６によって一定線速度（ＣＬＶ）もしくは一定角速度（ＣＡＶ）で回転駆動される。そして光学ピックアップ１によってディスクＤの信号面に記録されているデータの読み出しが行われる。
【０００７】
光学ピックアップ１は、レーザ光の光源となるレーザダイオード４と、偏向ビームスプリッタや対物レンズ２からなる光学系、及びディスクに反射したレーザ光を検出するためのフォトディテクタ５等が備えられて構成されている。ここで、対物レンズ２は、二軸機構３によってトラッキング方向及びフォーカス方向に移動可能に支持されている。
【０００８】
光学ピックアップ１のフォトディテクタ５は、図２に矢印で示されているトラッキング方向に対して図示するような位置で、例えば４個の領域とされる検出部ａ，ｂ，ｃ，ｄによって形成されている。そして、当該ディスクドライブ装置の再生動作によって、ディスクＤから反射されたレーザ光を各検出部ａ、ｂ、ｃ、ｄによって受光電流として検出する。
このようなフォトディテクタ５において、ＤＰＤ方式によるトラッキングエラー信号ＴＥは、各検出部の対角線差信号とされる。したがって、トラッキングエラー信号ＴＥは、検出部ａ、ｃの和信号（ａ＋ｃ）、及び検出部ｂ、ｄの和信号（ｂ＋ｄ）の差信号とされ、例えばＴＥ＝（ａ＋ｃ）−（ｂ＋ｄ）とされる。また、フォーカスエラー信号ＦＥは検出部ａ、ｂ、ｃ、ｄの出力について、例えば（ａ＋ｂ）−（ｃ＋ｄ）の演算により生成され、先述したようにこの値に対して所要のバイアス電圧値が加算されたものとされる。さらに、プルイン信号ＰＩ＝（ａ＋ｂ＋ｃ＋ｄ）となる。
【０００９】
なお、フォトディテクタが例えばレーザカップラに構成される場合は、例えば検出部ａ、ｄと検出部ｂ、ｃが個別に構成されることになるが、トラッキングエラー信号ＴＥ等の各信号は、同様にして例えば４個の検出部ａ、ｂ、ｃ、ｄによって形成される。
【００１０】
フォトディテクタ５の受光電流に基づいて、図１に示すＲＦアンプ９で生成された各種信号は、２値化回路１１、サーボプロセッサ１４に供給される。即ちＲＦアンプ９からの再生ＲＦ信号は２値化回路１１へ、例えばプッシュプル信号ＰＰ、フォーカスエラー信号ＦＥ、プルイン信号ＰＩ、トラッキングエラー信号ＴＥはサーボプロセッサ１４に供給される。
【００１１】
ＲＦアンプ９から出力される再生ＲＦ信号は２値化回路１１で２値化されることで２値化再生信号（例えばＥＦＭ信号（８−１４変調信号）、或いはＥＦＭ＋信号（８−１６変調信号）等）とされエンコーダ／デコーダ１２に対して供給される。
ＰＬＬ回路２２は、２値化回路１１で２値化された２値化再生信号（ＥＦＭ信号、またはＥＦＭ＋信号）に基づいて所要のクロックを生成してデコーダ１２に供給する。そしてエンコーダ／デコーダ１２ではＰＬＬ回路２２からのクロックに基づいて、ＥＦＭ復調、エラー訂正処理などを行う。
【００１２】
再生時において、エンコーダ／デコーダ１２のデコード部ではＥＦＭ復調、又はＥＦＭ＋復調，更に、所定方式に従った誤り訂正処理（ＲＳ−ＰＣ方式、ＣＩＲＣ方式等）を行いディスクＤから読み取られた情報の再生を行う。そして、エンコーダ／デコーダ１２によりデコードされたデータはインターフェース部１３を介して、ホストコンピュータ２６に供給される。
また、エンコーダ／デコーダ１２においては、内部において２値化再生信号から抽出した、再生信号に同期したビットクロックからディスク回転速度情報を得る。このディスク回転情報は光学ピックアップ１から出力されるレーザスポットと、記録ピットが形成されているトラックとの相対的な速度を示す。
【００１３】
また、ディスクＤにデータを記録する場合には、例えばホストコンピュータから供給されたデータがインターフェース部１３を介してエンコーダ／デコーダ１２のエンコード部に送られる。
【００１４】
このエンコード部では、インターフェース部１３から入力されたデータについて、所定方式に従った誤り訂正符号の付加とエンコード処理とを施し、さらにディスクＤへの記録のための所定の変調処理を行って記録データＷＤを生成する。この記録データＷＤは、図示しない経路でレーザドライバ１８に供給される。レーザドライバ１８では、入力された記録データＷＤに基づいて変調を行い、所要の記録レベルと消去レベルとを組み合わせたレーザダイオード駆動信号を生成してレーザダイオード４を駆動する。これにより、相変化方式に従ってデータの記録が実行される。
【００１５】
グッドフレームシンク（Good Frame Sync・・・以下、頭文字を採ってＧＦＳという）生成部３０は、２値化回路１１から出力される２値化再生信号に含まれているフレーム同期信号を、ＰＬＬ回路２２から出力されるクロックに基づいて検出した状態を示すＧＦＳ検出信号を出力することができるようにされている。また、ＧＦＳ測定部３１はＧＦＳ検出信号に基づいて、ＧＦＳの検出頻度、またはＧＦＳが検出されている時間を測定するようにされている。そして測定結果を例えばシステムコントローラ１０に供給する。システムコントローラ１０はこの測定結果、すなわちＧＦＳの検出状態に基づいて、トラバース状態で第一のフォーカスバイアスの調整を行う。なお、トラバース状態とは、ディスクＤに対する対物レンズ２の位置状態として、２軸機構３によってトラッキング方向に沿った駆動が行われない状態である。
また、ＧＦＳ生成部３０、ＧＦＳ測定部３１に付いては後で詳しく説明する。
【００１６】
サーボプロセッサ１４は、ＲＦアンプ９からのフォーカスエラー信号ＦＥ、トラッキングエラー信号ＴＥ、プッシュプル信号ＰＰ等から、フォーカス、トラッキング、スレッド、スピンドルの各種サーボドライブ信号を生成しサーボ動作を実行させる。即ちフォーカスエラー信号ＦＥ、トラッキングエラー信号ＴＥに応じてフォーカスドライブ信号ＦＤＲ、トラッキングドライブ信号ＴＤＲを生成し、二軸ドライバ１６に供給する。
【００１７】
二軸ドライバ１６は、例えばフォーカスコイルドライバ１６ａ、及びトラッキングコイルドライバ１６ｂを備えて構成される。フォーカスコイルドライバ１６ａは、上記フォーカスドライブ信号ＦＤＲに基づいて生成した駆動電流を二軸機構３のフォーカスコイルに供給することにより、対物レンズ２をディスク面に対して接離する方向に駆動する。トラッキングコイルドライバ１６ｂは、上記トラッキングドライブ信号ＴＤＲに基づいて生成した駆動電流を二軸機構３のトラッキングコイルに供給することで、対物レンズ２をディスク半径方向に沿って移動させるように駆動する。
これによって光学ピックアップ１、ＲＦアンプ９、サーボプロセッサ１４、二軸ドライバ１６によるトラッキングサーボループ及びフォーカスサーボループが形成される。
【００１８】
なお、理想的にはフォーカスエラー信号ＦＥがゼロとなるポイントと、ディスクＤから最も効率よく情報再生を行うことができるポイント（つまり再生ＲＦ信号の振幅が最大となるポイント）は同一であるはずであるが、実際には、これらのポイントはずれたものとなる。このずれ分をフォーカスバイアスとよび、そのフォーカスバイアス分に相当するバイアス電圧をフォーカスエラー信号ＦＥに加算するようにサーボ系を構成することで、フォーカス状態が、再生ＲＦ信号の振幅が最大となるポイントに収束されるように制御している。
このようなフォーカスバイアスを設定するために、フォーカスバイアス設定部４０が設けられ、バイアス電圧をＲＦアンプ９に供給するようにしている。バイアス電圧値はＲＦアンプ９から供給されるフォーカスエラー信号に基づいてシステムコントローラ１０が可変調整することができるようにされる。そしてＲＦアンプ９では、後述するようにディテクタ５における検出信号として（ａ＋ｂ）−（ｃ＋ｄ）の演算により得られた値に、さらに供給されたバイアス電圧値を加算して、それをフォーカスエラー信号ＦＥとすることになる。
【００１９】
また、サーボプロセッサ１４は、スピンドルモータドライバ１７に対して、スピンドルエラー信号ＳＰＥから生成したスピンドルドライブ信号を供給する。スピンドルモータドライバ１７はスピンドルドライブ信号に応じて例えば３相駆動信号をスピンドルモータ６に印加し、スピンドルモータ６が所要の回転速度となるように回転駆動する。
更に、サーボプロセッサ１４はシステムコントローラ１０からのスピンドルキック（加速）／ブレーキ（減速）信号に応じてスピンドルドライブ信号を発生させ、スピンドルモータドライバ１７によるスピンドルモータ６の起動または停止などの動作も実行させる。
【００２０】
サーボプロセッサ１４は、例えばトラッキングエラー信号ＴＥの低域成分から得られるスレッドエラー信号や、システムコントローラ１０からのアクセス実行制御などに基づいてスレッドドライブ信号を生成し、スレッドドライバ１５に供給する。スレッドドライバ１５はスレッドドライブ信号に応じてスレッド機構８を駆動する。スレッド機構８は光学ピックアップ１全体をディスク半径方向に移動させる機構であり、スレッドドライバ１５がスレッドドライブ信号に応じてスレッド機構８内部のスレッドモータを駆動することで、光学ピックアップ１の適正なスライド移動が行われる。
【００２１】
更に、サーボプロセッサ１４は、光学ピックアップ１におけるレーザダイオード４の発光駆動制御も実行する。レーザダイオード４はレーザドライバ１８によってレーザ発光駆動されるのであるが、サーボプロセッサ１４は、システムコントローラ１０からの指示に基づいて記録再生時などにおいてレーザ発光を実行すべきレーザドライブ信号を発生させ、レーザドライバ１８に供給する。これに応じてレーザドライバ１８がレーザダイオード４を発光駆動することになる。
【００２２】
以上のようなサーボ及びエンコード／デコードなどの各種動作はマイクロコンピュータ等を備えて構成されるシステムコントローラ１０により制御される。
例えば再生開始、終了、トラックアクセス、早送り再生、早戻し再生などの動作は、システムコントローラ１０がサーボプロセッサ１４を介して光学ピックアップ１の動作を制御することで実現される。
また、水晶発振器１０ａは、後述するようにジッタ検出部１０ｂにおいて２値化再生信号のジッタを検出する基準クロックを生成するようにされている。
【００２３】
次に、図３の模式図にしたがってＧＦＳについて説明する。なお図３（ａ）は２値化再生信号、図３（ｂ）はＰＬＬ回路２２から出力されるクロックＰＣＬＫの波形を示している。
例えば、フレーム同期信号ＳＹ１が検出された場合、これに続くフレーム同期信号ＳＹ２が到来するタイミングをクロックＰＣＬＫのパルス数によって予測することができる。図３に示す例ではフレーム同期信号ＳＹ２はクロックＰＣＬＫのｍ個目のパルスが検出された時点で到来することとしている。つまり、ＧＦＳ生成部３０はクロックＰＣＬＫのパルスがｍ個検出されたときに、フレーム同期信号ＳＹ２が検出されると、ＧＦＳ検出信号として例えばハイレベルの信号を出力する。なお、フレーム同期信号ＳＹ２の検出タイミングには若干の余裕を設け、例えばクロックＰＣＬＫのパルス数がｍ＋１、またはｍ−１であるときにフレーム同期信号が検出された場合でも、ハイレベルを出力するようにされている。
【００２４】
つまり、ＧＦＳ検出信号は、ＰＬＬがある程度かかった状態でハイレベルとなる信号である。したがって、ＧＦＳ検出信号がハイレベルとされた状態ではフォーカスバイアスが所要のレベル範囲とされ、再生ＲＦ信号が良好に検出されているとすることができる。
【００２５】
ＧＦＳ測定部３１は例えば図４に示されているように構成され、ＧＦＳ生成部３０で生成されたＧＦＳ検出信号を積分器（ローパスフィルタ）３１ａ、Ａ／Ｄ変換器３１ｂを介してシステムコントローラ１０に出力する。すなわちＧＦＳ検出信号としてＧＦＳが検出されている頻度が高い時には、ハイレベルの出力が継続するようになり、例えばオントラック状態ではほぼハイレベルの信号が断続的に出力される。つまり、ＧＦＳ検出信号がハイレベルまたはローレベルになる頻度を検出することができようになる。
【００２６】
そこで本実施の形態では、第一のフォーカスバイアス調整としてＧＦＳ測定部３１からのＧＦＳ測定信号のレベルを観ながらフォーカスバイアス量の調整（粗調整）を行っていき、ＧＦＳ検出信号が例えばローレベルとされている頻度が高い場合は、フォーカスバイアス量が適切ではないと判断して、フォーカスバイアス量を変位させる制御を行うようにしている。
そして、ＧＦＳ測定信号がハイレベルになる頻度が高くなった時点で、トラッキングサーボループを閉じるようにしているので、良好なトラッキングエラー信号が得られるようになった状態でトラッキングサーボ制御を実現することができる。さらにその後第二のフォーカスバイアス調整として、後述するように例えば２値化再生信号のジッタを見ながらフォーカスバイアス量の微調整を行うようにしている。
【００２７】
なお、ＧＦＳ測定部３１としては例えば１０μ毎にＧＦＳ検出信号をサンプリングすることにより、ハイレベルとされている時間を積算するようにしても良い。この場合、システムコントローラ１０に対しては、積算された時間に基づいて変位させるフォーカスバイアス量を指示することが可能とされる。
【００２８】
図５は、トラバース状態においてＤＰＤ方式により得られたトラッキングエラー信号ＴＥ及びＧＦＳ検出信号の波形の例を示しており、図５（ａ）（ｂ）（ｃ）はフォーカスバイアスの粗調整を行う遷移に対応した波形である。そして、図５（ｃ）に示す状態をほぼ最適な状態であるとして、この例えばＧＦＳ検出信号がこの状態になるようにフォーカスバイアス量の調整が行われる。
【００２９】
図５（ａ）はフォーカスバイアスが比較的大きくずれている状態を示しており、良好な再生ＲＦ信号が得られないために、トラッキングエラー信号ＴＥの振幅も小さく、ＧＦＳ検出信号のハイレベルの検出頻度が低いものとされている。つまり図５（ａ）に示すようなＧＦＳ検出信号が供給されたシステムコントローラ１０はフォーカスバイアス設定部４０に対してバイアス電圧を可変させるようにして、フォーカスバイアス量を調整していくことになる。これに伴い、図５（ｂ）に示されているようにトラッキングエラー信号ＴＥの振幅がやや大きくなり、ＧＦＳ検出信号がハイレベルになる頻度も高くなってくる。
さらに、図５（ｂ）の状態からフォーカスバイアス量を調整を継続して行いくと、例えば図５（ｃ）に示されている状態となる。この図から解るように、トラッキングエラー信号ＴＥも良好な状態となり、さらにＧＦＳ検出信号のハイレベルの頻度が図５（ａ）（ｂ）と比較しても高くなっていることが解る。これにより、フォーカスバイアス量がほぼ最適になったと判断することができうようになる。
つまり、図５（ｃ）に示すＧＦＳ検出信号が得られた状態で、粗調整が終了したものとみなし、以降、トラッキングサーボループを閉じた状態で、フォーカスバイアスの微調整に移行する。
【００３０】
フォーカスバイアスの微調整は例えば２値化再生のジッタ量に基づいてバイアス電圧を可変させていく。
図６は、水晶発振器１０ａから出力される基準クロックによって２値化再生信号におけるデータの最長パターン（例えば１４Ｔ）のジッタを検出する概要を説明する模式図である。なお、水晶発振器１０ａとしては、ジッタがない状態における最長パターンの立ち上がりエッジから立下りエッジまでに例えば１４０個のパルスを出力することができる発振周波数が設定されているものとする。
【００３１】
図６（ａ）は例えばジッタがない状態を示しており最長パターン（１４Ｔ）のパルスの立ち上がりエッジから立下りエッジまでの期間が、水晶発振器１０ａから出力される基準クロックＣＫＬのパルス数として１４０クロックに対応している。
この図６に示した立ち上がりエッジから立下りエッジまでの期間に位相誤差が生じると、最長パターンが１４０クロックに対応しなくなる。例えば、図６（ｂ）に示されているように最長パターンの期間が図６（ａ）に示す場合よりも短くなった場合には、１４０クロック以前のタイミングで立下りエッジが到来することになる。この場合例えば１３０クロックのタイミングで立下りエッジが到来すると、１０クロックの位相誤差が生じたことになる。
【００３２】
また、例えば、図６（ｃ）に示されているように最長パターンの期間が長くなった場合には１４０クロック以降のタイミングで立下りエッジが到来することにうなる。この場合例えば１５０クロックのタイミングで立下りエッジが到来すると、図６（ｂ）の場合と同様に１０クロックの位相誤差が生じたことになる。
つまり、データの立ち上がりエッジから立下りエッジまでのクロック数のばらつきがジッタとされる。
このような２値化再生信号と基準クロックのジッタは、以下に示す（数１）（数２）によって検出することができる。
【数１】
0004003345.tif 000002
【数２】
0004003345.tif 000003
なお、Ｎｉ（ｉ＝１、２、３・・・・、ｎ）は位相誤差、ＮAVEは平均値である。
【００３３】
このようにして検出されたジッタが最適値（最小値）となるようにフォーカスバイアス量の微調整を行うようにする。つまり、このジッタ量を観ながらフォーカスバイアス量の調整（微調整）を行っていき、ジッタ量が大きいと判断した場合は、フォーカスバイアス量が適切ではないとして、ジッタ量が小さくなるようにフォーカスバイアス量を変位させる制御を行えばよい。つまり、この微調整によって、最適な再生ＲＦ信号、トラッキングエラー信号が得られるフォーカスバイアス量が設定されたことになる。
【００３４】
なお、この場合２値化再生信号と水晶発振器１０ａの基準クロックに基づくジッタによってフォーカスバイアス量の微調整を行っているので、例えばＰＬＬが外れている場合でも、微調整を行うことが可能である。
【００３５】
フォーカスバイアス量の微調整は、例えば図７の模式図に示されているように、２値化再生信号とＰＬＬ回路２２で生成されたクロックＰＣＬＫのジッタに基づいて行うこともできる。
図７（ａ）は２値化再生信号の立ち上がりエッジと、クロックＰＬＣＫの立ち上がりエッジが一致している状態を示している。
この図７（ａ）に示した状態から２値化再生信号の位相が進みクロックＰＣＬＫの位相誤差が生じると、図７（ｂ）に示されているようになる。すなわち、２値化再生信号の立ち上がりエッジと、クロックＰＣＬＫの立ち上がりエッジが一致しなくなる。また、同様に図７（ａ）に示した状態から２値化再生信号の位相が遅れてクロックＰＣＬＫの位相誤差が生じると、図７（ｃ）に示されているようになり、２値化再生信号の立ち上がりエッジと、クロックＰＣＬＫの立ち上がりエッジが一致しなくなる。
つまり、この位相誤差に基づいて、上記した（数１）（数２）によってジッタを検出することができ、検出されたジッタに基づいて、最適値とされるフォーカスバイアス量を得ることができる微調整を行うことができるようになる。
【００３６】
図８は本実施の形態においてフォーカスバイアス量の調整（粗調整、微調整）を行う場合のシステムコントローラ１０の処理遷移の一例を説明する。
まず、装填されているディスクＤを回転させ（Ｓ００１）、レーザダイオード４を発光させる（Ｓ００２）。そして、フォーカスサーチを実行することで、対物レンズ２から出力されるレーザスポットがディスクＤの記録面において合焦するように、対物レンズ２をディスクＤに対して接離する方向に移動させ（Ｓ００３）、レーザスポットが記録面に合焦した時点でフォーカスサーボループを閉じる（Ｓ００４）。そして、フォーカスサーボループを閉じた状態、すなわちトラッキングサーボループが閉じていない状態でフォーカスバイアス量の調整処理に移行する（Ｓ００５）。
まず、粗調整として、図３、図５で説明したように、ＧＦＳ生成部３０で生成されるＧＦＳ検出信号の測定を行い（Ｓ００６）、例えばＧＦＳ検出信号が、例えば図５（ｃ）に示した頻度でハイレベルになったか否かの判別を行う（Ｓ００７）。
【００３７】
ステップＳ００７においてＧＦＳ検出信号がハイレベルになる頻度が高くなったと判別すると、トラッキングサーボを閉じて（Ｓ００８）、フォーカスバイアスの微調整に移行する。この微調整としては、例えば図６、図７で説明したようにジッタの検出を行いながらフォーカスバイアスの調整を続けていき（Ｓ００９）、ジッタ量が所要のレベル以下になったか否かの判別を行う（Ｓ０１０）。そして、ジッタ量が所要のレベル以下になった時点でフォーカスバイアス量の調整処理を終了する（Ｓ０１１）。
【００３８】
このように、まず粗調整（Ｓ００６、Ｓ００７）を行なって、この粗調整により良好なトラッキングエラー信号を得ることができるようにした後に、トラッキングサーボを閉じるようにしているので、安定したトラッキングサーボを実現することができるようになる。また、比較的大きなフォーカスバイアス電圧を掛ける必要がある場合でも、粗調整により、安定したトラッキングエラー信号を得ることができるようにした状態でトラッキングサーボを閉じるようにしているので、トラッキングサーボが安定する。
さらに、微調整（Ｓ００９、Ｓ０１０）を行うことにより、その時点でそのディスクＤに対する、最適な再生ＲＦ信号、トラッキングエラー信号が得られるフォーカスバイアス量を設定することができる。つまり、良好な再生ＲＦ信号、トラッキングエラー信号を得ることができるようになるので、例えばＤＰＤ方式によっても安定したトラッキングサーボを実現することが可能になる。
【００３９】
なお、本実施の形態では、第一のフォーカスバイアス調整とされる粗調整をＧＦＳに基づいて行う例を挙げたが、粗調整を例えば再生ＲＦ信号やトラッキングエラー信号ＴＥの振幅量に基づいて行うようにしても良いし、図５、図６で説明した２値化再生信号のジッタに基づいて行っても良い。
また、第二のフォーカスバイアス調整とされる微調整を、２値化再生信号のジッタに基づいて行う例を挙げて説明したが、例えばＧＦＳや再生ＲＦ信号、或いはトラッキングエラー信号ＴＥの振幅量に基づいて行うようにしても良い。
【００４０】
【発明の効果】
以上、説明したように本発明は、第一のフォーカスバイアス調整（粗調整）を行った後にトラッキングサーボループを閉じるようにしている。つまり、比較的大きなフォーカスバイアスを掛ける必要がある光学ピックアップを用いた場合でも、粗調整によって良好な再生信号やトラッキングエラー信号を得ることができるようになる。そして、良好なトラッキングエラー信号が得られた状態で、トラッキングサーボを閉じることができるので、安定したトラッキングサーボ制御を実現することができるようになる。
したがって、例えばＤＰＤ方式等の場合でも、粗調整により安定した再生ＲＦ信号、トラッキングエラー信号を得ることができる状態としたうえでトラッキングサーボループを閉じることができるので、良好なトラッキングサーボ制御を行うことができるようになる。
また、粗調整後にトラッキングサーボループを閉じた状態でフォーカスバイアスの微調整を行うようにしているので、良好なトラッキング制御が実現されている状態で、さらに精度の高いフォーカスバイアス調整を行うことができるという利点がある。
【００４１】
さらに、フォーカスバイアスの調整は、例えば同期信号の検出頻度や再生信号の位相誤差などを検出して、これら検出頻度や位相誤差に基づいてフォーカスバイアス量を調整していくようにしているので、ドライブ装置単位で自動的な調整を実現することができるようになる。したがって、例えばドライブ装置の使用環境、経年変化、ディスク特性に対応した当該ドライブ装置に最適な調整を行うことが可能になり、ドライブ装置個々の再生性能を向上させることができるようになる。
【図面の簡単な説明】
【図１】本発明の実施の形態のディスクドライブ装置の構成例を説明するブロック図である。
【図２】フォトディテクタによって検出された受光電流に基づいて各種エラー信号を生成する例を説明する図である。
【図３】ＧＦＳを生成する概要を説明する模式図である。
【図４】ＧＦＳ測定部の構成例を説明する図である。
【図５】フォーカスバイアスの調整量に対応したトラッキングエラー信号とＧＦＳの波形の一例を示す図。
【図６】２値化再生信号と基準クロックの位相誤差を説明する図である。
【図７】２値化再生信号とＰＬＬクロックの位相誤差を説明する図である。
【図８】フォーカスバイアス量の調整を行う処理遷移を説明するフローチャートである。
【符号の説明】
１  光学ピックアップ、２  対物レンズ、３  二軸機構、４  レーザダイオード、５  フォトディテクタ、６  スピンドルモータ、７  ターンテーブル、８  スレッド機構、９  ＲＦアンプ、１０  システムコントローラ、１０ａ  水晶発振器、１０ｂ  ジッタ検出部、１１  ２値化回路、１２  デコーダ／エンコーダ、１３  インターフェース部、１４  サーボプロセッサ、１５  スレッドドライバ、１６  二軸ドライバ、１７  スピンドルドライバ、１８  レーザドライバ、２２  ＰＬＬ回路、３１  ＧＦＳ生成部、３２  ＧＦＳ測定部
【図１】
0004003345.tif 000004
【図２】
0004003345.tif 000005
【図３】
0004003345.tif 000006
【図４】
0004003345.tif 000007
【図５】
0004003345.tif 000008
【図６】
0004003345.tif 000009
【図７】
0004003345.tif 000010
【図８】
0004003345.tif 000011